(57)【特許請求の範囲】
【請求項１】
一対の対向基壁と該対向基壁間の一対の折畳み壁とによって折畳み自在に形成した平面方形又は矩形の折畳み壁面部を有し且つ該折畳み壁面部の下部に水平出しの高さ調整用アジャスター金具と移動搬送用キャスターとを備えた折畳み構造物であって，該キャスターをキャスター枠を介して折畳み壁面部に設置することによって該折畳み壁面部に対して着脱自在にその外側で下向き突出するとともに該キャスターの突出高さを上記アジャスター金具の最大突出寸法と同等又はそれ以上の高さとし，キャスターによる浮かし状態のアジャスター金具による水平出し調整と該調整後のキャスター取り外しを自在としてなることを特徴とする折り畳み構造物。
【請求項２】
上記キャスターを，折畳み壁面部における一対の対向基壁の少なくとも各幅方向両端部に設置してなることを特徴とする請求項１に記載の折畳み構造物。
【請求項３】
上記キャスター枠を介したキャスターの折畳み壁面部への設置を，キャスターを固定したキャスター枠を折畳み壁面部にボルトナットによって締着固定することによって行なってなることを特徴とする請求項１に記載の折畳み構造物。
【発明の詳細な説明】
【０００１】
【発明の属する技術分野】
本発明は，例えば屋外設置の架設ハウス，工場内の屋内設置の事務所等に好適に用いられる折畳み構造物に関し，特にこの折畳み構造物の地表又は床面に対する水平設置を容易になし得るようにした折畳み構造物の水平出し装置に関する。
【０００２】
【従来の技術】
この種折畳み構造物は，本発明者の特許出願によって提案済であるが，例えば一対の対向基壁と該対向基壁間の一対の折畳み壁とによって折畳み自在に形成した平面方形又は矩形の折畳み壁面部を有し，これに例えば上記折畳み壁の折畳みに伴い上方に谷折状に折畳むようにした折畳み屋根，棟部で分離し一対の対向基壁の外側に重合状に回動して折り畳むようにした分離跳ね上げ状屋根，或いは現場で連結組み立てすることにより形成する組み立て屋根等各種の屋根（天井を含む意味に用いる）を備え，また必要に応じて一対の対向基壁の内側に回動して折り畳むようにした分離跳ね上げ状床や現場で連結組み立てすることにより形成する組み立て床等の床を備えたものとされ，一対の対向基壁，折畳み壁，屋根，必要に応じて用いる床は，一般にパネル構成によるものとし，折畳みや回動には，例えばアルミヒンジやヒンジ金物を使用したものとされ，上記一対の対向基壁や折畳み壁にドア，引き戸等の建具を設置して，人の出入りを可能とするようにしたものとされる。
【０００３】
【発明が解決しようとする課題】
この折畳み構造物は，例えば現場施工によって構築したり，組み立て設置したりする構造物に比べて，設置と撤去が相対的に簡易であり，また不使用時にはコンパクトに折り畳んで保管できるというメリットがあるが，設置する地表や床面に傾斜や凹凸がある場合，工場生産の折畳み構造物は，そのままではこれに対応することができず，その水平設置をなし得ないから，例えばこれに水平出しの高さ調整用アジャスター金具を設けることが設置の作業性を確保して好ましいことになるが，一方で折畳み構造物はそれ自体重量が嵩み，特に例えば断熱性や防音性を確保したものは，表裏の鋼板間に発泡樹脂を発泡充填したパネルを用いる等してその対向基壁や折畳み壁を構成することになるから，これら対向基壁と折畳み壁とによる折畳み壁面部の重量が大きくなり，屋根及び／又は床等を備えた折畳み構造物は更に重量が嵩むことになって，上記水平出しの高さ調整用アジャスター金具を設けても，これら重量によって水平出しの調整が容易になし得ないという問題点を残すことになる。
【０００４】
本発明は，かかる事情に鑑みてなされたもので，その解決課題とするところは，折畳み構造物に上記水平出しの高さ調整用アジャスターを設けるようにするとともにその設置時に水平出しの調整を可及的容易に行ない得るようにした折畳み構造物を提供するにある。
【０００５】
【課題を解決するための手段】
上記課題に添って本発明は，折畳み構造物にその水平出しの高さ調整用アジャスター金具を設けて，折畳み構造物の水平設置を可能とするとともに，水平出しの調整に際して折畳み構造物，即ちその折畳み壁面部を所定高さに持ち上げ支持して，折畳み構造物乃至折畳み壁面部の重量を感じることなく調整をなし得るようにしたものであって，即ち請求項１に記載の発明を，一対の対向基壁と該対向基壁間の一対の折畳み壁とによって折畳み自在に形成した平面方形又は矩形の折畳み壁面部を有し且つ該折畳み壁面部の下部に水平出しの高さ調整用アジャスター金具と移動搬送用キャスターとを備えた折畳み構造物であって，該キャスターをキャスター枠を介して折畳み壁面部に設置することによって該折畳み壁面に対して着脱自在にその外側で下向き突出するとともに該キャスターの突出高さを上記アジャスター金具の最大突出寸法と同等又はそれ以上の高さとし，キャスターによる浮かし状態のアジャスター金具による水平出し調整と該調整後のキャスター取り外しを自在としてなることを特徴とする折り畳み構造物としたものである。
【０００６】
請求項２に記載の発明は，これに加えて，折畳み構造物乃至折畳み壁面部が折畳み自在であることによる不安定性を可及的に解消して，上記移動搬送用キャスターによって可及的に安定した支持及び搬送移動をなし得るように，これを，上記キャスターを，折畳み壁面部における一対の対向基壁の少なくとも各幅方向両端部に設置してなることを特徴とする請求項１に記載の折畳み構造物としたものである。
【０００７】
請求項３に記載の発明は，同じく上記に加えて，キャスター枠を介したキャスターの設置の形態を示すように，これを，上記キャスター枠を介したキャスターの折畳み壁面部への設置を，キャスターを固定したキャスター枠を折畳み壁面部にボルトナットによって締着固定することによって行なってなることを特徴とする請求項１に記載の折畳み構造物としたものである。
【０００８】
本発明は，これらをそれぞれ発明の要旨として上記課題解決の手段としたものである。
【０００９】
【発明の実施の形態】
以下図面の例に従って本発明を更に具体的に説明すれば，Ａは，例えば工場等の建屋内に据置き設置して，事務所やクリーンルームとして使用するようにした折畳み構造物であり，該折畳み構造物Ａは，一対の対向基壁２と該対向基壁間の一対の折畳み壁３とによって折畳み自在に形成した平面方形又は矩形の折畳み壁面部１を有するものとしてあり，本例にあって該折畳み壁面部１は，上記一対の対向基壁２の幅方向両端部に上記一対の折畳み壁３をヒンジ１２連結，本例にあって例えばアルミヒンジを用いた連結を行なうとともに該各一対の折畳み壁３を，それぞれ対応する幅方向中間位置でヒンジ１２連結，本例にあって幅方向中央位置１箇所において同じくアルミヒンジによる連結を行ない，一対の対向基壁２間において一対の折畳み壁３を谷折り自在，山折り自在又は蛇腹折り自在，本例にあっては特に幅方向にコンパクトの折畳みをなし得るように谷折り自在のものとしてある。
【００１０】
折畳み構造物Ａは，その上記折畳み壁面部１の対向基壁２及び折畳み壁３にそれぞれ設置したこれらの水平出しの高さ調整用アジャスター金具１４と移動搬送用キャスター２８とを備えてあり，該キャスター２８は，これをキャスター枠２７を介して折畳み壁面部１に設置することによって該折畳み壁面部１に対して着脱自在にその外側で下向き突出したものとし，このとき該キャスター２８は，これを，折畳み壁面部１における一対の対向基壁２のそれぞれ少なくとも幅方向両端部に設置したものとしてある。
【００１１】
本例にあって水平出しの高さ調整用アジャスター金具１４は，これを上記一対の対向基壁２及び折畳み壁３の下面に長手方向に複数設置したものとし，該アジャスター金具１５は，これを建屋の床に載置するべース１６と，該べース１６上に垂直に立上げ設置した太軸にして折畳み構造物Ａの荷重支持可能の回転ボルト１７と，該回転ボルト１７の下方に固定した固定ナット等による手操作部１８と，上記対向基壁２及び折畳み壁３側に固定した上記回転ボルト１７螺装用の受けナット２０とを備えたものとしてあり，このとき本例にあって対向基壁２及び折畳み壁３側の受けナット２０は，アジャスター金具１５とともに調整手段をなすように，上記対向基壁２及び折畳み壁３の下端長手方向に一連又は断続的に添設固定した，例えば断面方形，矩形等にして強度に優れて折畳み構造物Ａの荷重支持可能の中空の支持枠１９を用い，その底板部上面又は下面，本例にあって上面の中空部内に，ボルト用の透孔を介して回転ボルト１７を螺装受入するように固定したものとしてあり，従って本例にあっては，支持枠１９の受けナット２０に回転ボルト１７を螺装して，アジャスター金具１５を支持枠１９にそれぞれ設置しておき，上記手操作部１８によって回転ボルト１７を螺装方向と逆方向に回転することによって，回転ボルト１７を下方に繰り出し，アジャスター金具１５のべース１６が建屋の床に接地している状態で，折畳み壁面部１の水平出しを行なうように調整作業をすることができるようにしてある。
【００１２】
一方キャスター枠２７を介して設置したキャスター２８は，折畳み壁面部１の下部，本例にあっては，上記一対の対向基壁２の幅方向両端と各中間位置２箇所の，一方の対向基壁２に４箇所，合計８箇所に，それぞれ直接又はブラケットを介する等してボルトナット２９によって締着固定して，それぞれその着脱自在にして折畳み壁面部１の外側における下向き突出の設置を行ってあり，このとき上記キャスター枠２７は，例えば厚肉のＬ字アングル材を組合せて，正面Ｌ字形に，側面垂直三角形にこれらアングル材を溶着固定した強度に優れて折畳み構造物Ａの荷重支持可能のものとし，またキャスター２８は，該キャスター枠２７の上記垂直三角形の下辺の正面側先端に溶着又はアングル材を挟む上下のナット３０によって締着固定した，同じく強度に優れて折畳み構造物Ａの荷重支持可能のものとしてある。
【００１３】
このとき該キャスター２８は，それぞれ折畳み壁面部，本例の一対の対向基壁２にキャスター枠２７を介して固定した際，折畳み壁面部１から下向き突出の高さ（突出長さ）を同一として建屋の床に接地するようにしてあり，また該キャスター２８の突出高さは，これを上記アジャスター金具１５の最大調整寸法，即ちアジャスター金具１５が，折畳み構造物Ａ乃至折畳み壁面部１の水平出しのために予定した最大調整寸法と同等又はそれ以上の高さとてあり，これにより上記キャスター２８の床接地の状態において，高さ調整用アジャスター金具１５は，キャスター２８の床接地位置より上方にあって，建屋の床に接触することなく，その水平出し調整に際して折畳み構造物Ａ乃至折畳み壁面部１を所定高さに持ち上げ支持して，例えばその上記回転ボルト１７の繰り出しによる調整を，重量を全く感じることなく，スムーズ且つ確実になし得るようにするとともにキャスター２８による搬送移動をなし得るようにしてある。
【００１４】
以上の水平出しの高さ調整用アジャスター金具１５と移動搬送用キャスター２８を備えた本例の折畳み構造物Ａは，これを上記折畳み壁面部１と，該折畳み壁面部１上に現場で連結組み立てすることにより形成する組み立て屋根，本例にあって，折畳み構造物Ａを建屋内設置の屋内用としたことにより，特に上記折畳み壁面部１上に載置て，相互に連結して組み立てる天井７とを備えたものとしてあり，このとき上記折畳み壁面部１の各対向壁２及び折畳み壁３並びに天井７は，それぞれ表裏の鋼板間に発泡樹脂を発泡充填して，一体に接着した断熱防音用のパネル８を連結枠９で連結したものとして，上記載置部分，これら連結部分を含めて随所に気密材１１を介設して，上記アルミヒンジ１２によって得られる気密性ともに全体に亘る気密性を高度に確保し，上記事務所，クリーンルーム等としての性能を確保するものとしてあるため，例えば上記パネル８は１０Kg／ｍ２を超えるものとなり，従って本例にあっては，折畳み壁面部１の状態での搬送移動や高さ調整をなし得るようにしてあるが，その重量は極めて嵩むものとなり，一般に高さ調整用アジャスター金具１５を設置しても，その搬送移動や水平出しの調整は著しく困難となるところ，本例にあっては移動搬送用キャスター２８による浮かし状態のアジャスター金具による水平出し調整と該調整後のキャスター２８取り外しを自在としてあり，これによってこれら搬送移動や水平出しの調整を極めて容易になし得て，折畳み構造物Ａの設置や撤去を作業性よく行なうことが可能になる。
【００１５】
水平出しの調整後に，本例にあって上記ボルトナット２９の締着を外すことによって，折畳み構造物Ａの設置後にキャスター２８を取り外すことができるから，折畳み構造物Ａの設置状態で，該キャスター２８が，折畳み構造物Ａから外側に突出してスペースを占有したり，折畳み構造物Ａの外側を歩行する歩行者の歩行の安全を妨げたりすることも防止できる。
【００１６】
図中４は対向基壁２に設置し，本例にあって上記支持枠１９を設けずに下端を建屋の床に接地するように配置した気密ドアによる出入用建具，５は対向基壁２及び折畳み壁３に設置した，本例にあって嵌め殺しサッシによる窓，６は対向基壁２の両端に折曲設置して折畳み壁３をヒンジ１２連結する補強枠兼用の折曲壁，１０は天井補強材，１３は折畳み壁３の幅方向中間位置，本例にあって幅方向中央位置のヒンジ１２連結のために介設したヒンジ枠，２１は高さ調整用アジャスター金具１５の目隠し用にして対向基壁２及び折畳み壁３の下端室内外にそれぞれ長孔２２を介して水平の高さ調整用アジャスター金具１５の調整に応じて傾斜可能にネジ２３固定自在とした目隠しカバー，２４は，本例においてその室内側の目隠しカバー２１の上記アジャスター金具１５のべース１６部分を切り欠き除去して室外側に向けて突出するように設け且つ気密材１１を配置することによって建屋の床との間で気密性を確保するようにした接地フィン，３１は対向基壁２及び折畳み壁３上端を囲繞するように設けた上方目隠しカバー，３２は天井７の外れ止め用の垂下フィンをそれぞれ示す。
【００１７】
図示した例は以上のとおりとしたが，折畳み構造物を，上記屋根（天井）を現場設置するものに代えて，これを折畳み壁面部に一体的に設置した上記折畳み屋根，分離跳ね上げ状屋根等の折畳み自在に備えたものとし，また必要に応じて分離跳ね上げ状床，組み立て床等の床を備えたものとして構成すること，折畳み壁面部の水平出しの高さ調整用アジャスター金具を，同じく回転ボルトを回転して調整を行なうように，対向基壁及び折畳み壁の下端に設置した上下を一対とする強度に優れた枠間に一方を回転自在に保持し，他方を螺装することによって回転ボルトを介設し，該回転ボルトを回転してその調整を行なうものとして構成すること等を含めて，本発明の実施に当って，折畳み壁面部，対向基壁，折畳み壁，高さ調整用アジャスター金具，移動搬送用キャスター等の各具体的材質，形状，構造，数，これらの関係，これらに対する付加，折畳み構造物の用途等は，上記発明の要旨に反しない限り，様々の形態のものとすることができる。
【００１８】
【発明の効果】
本発明は以上のとおりに構成したので，請求項１に記載の発明は，折畳み構造物にその水平出しの高さ調整用アジャスター金具を設けるとともに，折畳み構造物の設置時に移動搬送用キャスターによってその荷重を支持し，上記高さ調整用アジャスター金具による水平出しの調整を，折畳み構造物乃至その折畳み壁面部の重量を感じることなく可及的容易に行なうことが可能な折畳み構造物を提供することができる。また移動搬送用キャスターは着脱自在であるから，折畳み構造物の設置後はこれを取り外すことが可能になり，該キャスターが折畳み構造物の設置状態で，これを超えるスペースを占有したり，折畳み構造物から外側に突出して，その外側を歩行する歩行者が足を取られたりするような歩行者の安全を妨げたりすることも防止できる。請求項２に記載の発明は，これに加えて，折畳み構造物乃至折畳み壁面部が折畳み自在であることによる不安定性を可及的に解消して，上記移動搬送用キャスターによって可及的に安定した支持と搬送移動を行うものとすることができる。
【図面の簡単な説明】
【図１】  折畳み構造物の斜視図である。
【図２】  折畳み構造物の主要な部材を示す斜視図である。
【図３】  折畳み構造物の設置直後の横断面図である。
【図４】  折畳み構造物の部分縦断面図である。
【図５】  折畳み構造物の部分横断面図である。
【図６】  折畳み壁の折畳み状態を示す部分横断面図である。
【図７】  高さ調整用アジャスター金具を示す拡大図である。
【図８】  移動搬送用キャスターの取付け状態を示す正面図である。
【図９】  移動搬送用キャスターの取付け状態を示す側面図である。
【図１０】  移動搬送用キャスターの取付け状態を示す平面図である。
【符号の説明】
Ａ  折畳み構造物
１  折畳み壁面部
２  対向基壁
３  折畳み壁
１２  ヒンジ
１５  高さ調整用アジャスター金具
２７  キャスター枠
２８  移動搬送用キャスター
【図１】
0003637212.tif 000002
【図２】
0003637212.tif 000003
【図３】
0003637212.tif 000004
【図４】
0003637212.tif 000005
【図５】
0003637212.tif 000006
【図６】
0003637212.tif 000007
【図７】
0003637212.tif 000008
【図８】
0003637212.tif 000009
【図９】
0003637212.tif 000010
【図１０】
0003637212.tif 000011